(57)【要約】【課題】景品の大きさや形状および取得景品数に対して適用性がありプレイヤの興味をそそり、景品の陳列に付帯物を必要とせずに簡単な取付作業で済みコストの低減を図ることができる景品取得ゲーム装置および景品払出装置を供する。【解決手段】プレイヤの操作に応じて筐体内に陳列された景品を取得するために所望の位置へ移動させた景品取得手段９により景品取得作業が行われる景品取得ゲーム装置において、傾斜した載置部１１と、載置部１１に載置された景品ｇが滑落するのを阻止する滑落阻止部材１２と、前記滑落阻止部材を作動して滑落阻止を解除する滑落阻止解除手段１５，２０と、プレイヤの操作に応じて移動した前記景品取得手段９が滑落阻止解除手段１５，２０に作用して同滑落阻止解除手段１５，２０により景品の滑落を許す位置に滑落阻止部材１２を移動させて景品を払出す景品取得ゲーム装置および景品払出装置。【選択図】  図１
2004181150.tif 000002
【特許請求の範囲】
【請求項１】
プレイヤの操作に応じて筐体内に陳列された景品を取得するために所望の位置へ移動させた景品取得手段により景品取得作業が行われる景品取得ゲーム装置において、
傾斜した載置部と、
前記載置部に載置された景品が滑落するのを阻止する滑落阻止部材と、
前記滑落阻止部材を作動して滑落阻止を解除する滑落阻止解除手段と、
プレイヤの操作に応じて移動した前記景品取得手段が前記滑落阻止解除手段に作用して同滑落阻止解除手段により景品の滑落を許す位置に前記滑落阻止部材を移動させて景品を払出すことを特徴とする景品取得ゲーム装置。
【請求項２】
プレイヤの操作に応じて筐体内に陳列された景品を取得するために所望の位置へ移動させた景品取得手段により景品取得作業が行われる景品取得ゲーム装置において、
傾斜した載置部と、
前記載置部に載置された景品が滑落するのを阻止する滑落阻止部材と、
景品が滑落するのを阻止する位置に前記滑落阻止部材を維持する係止部材と、
前記係止部材に作用して係止を解除する係止解除部材とを備え、
プレイヤの操作に応じて移動した前記景品取得手段が前記係止解除部材を作動させて前記係止部材の係止を解除し景品の滑落を許す位置に前記滑落阻止部材を移動させて景品を払出すことを特徴とする景品取得ゲーム装置。
【請求項３】
筐体内に景品を陳列するために配列されプレイヤの操作に応じて移動される景品取得手段の景品取得作業により景品を払出す景品払出装置であって、
傾斜した共通の載置部と、
前記載置部に配列され載置された景品が滑落するのを阻止する複数の滑落阻止部材と、
景品の滑落を阻止する位置に前記複数の滑落阻止手段をそれぞれ維持する複数の係止部材と、
前記係止部材に作用して係止を解除する係止解除部材とを備えたことを特徴とする景品払出装置。
【請求項４】
筐体内に景品を陳列するために配列されプレイヤの操作に応じて移動される景品取得手段の景品取得作業により景品を払出す景品払出装置であって、
傾斜した載置部と、
前記載置部に載置された景品が滑落するのを阻止する滑落阻止部材と、
景品が滑落するのを阻止する位置に前記滑落阻止部材を維持する係止部材と、
前記係止部材に作用して係止を解除する係止解除部材とを備えたことを特徴とする景品払出装置。
【発明の詳細な説明】
【０００１】
【発明の属する技術分野】
本発明は、筐体内に陳列された景品を遊戯者の操作により取り出すゲーム装置および景品を載置し払出す払出装置に関する。
【０００２】
【従来の技術】
プレイヤの操作に応じて筐体内に陳列された景品に対応する位置へ移動させた景品取得手段により景品取得作業が行われる景品取得ゲーム装置は、従来より種々提案されており、同じ出願人に係る例もある（例えば、特許文献１参照。）。
【０００３】
【特許文献１】
特開平９−２８５６３８号公報
【０００４】
同特許文献１に記載されたものは、筐体内にボールチェーンを介して吊設されて配列された景品を、プレイヤの操作により移動する景品取得手段がボールチェーンの係止を解除して景品を落下させて取得するものである。
【０００５】
【発明が解決しようとする課題】
キャンディなどの細かい景品等は、一々ボールチェーンを付けて吊るす程のものではなく、また大き過ぎる景品もボールチェーンを介して吊るすと、景品取得手段の動きを妨げたりプレイが易しくなり過ぎたりし、また長尺の景品はボールチェーンを介して吊るすのに適していない等、景品の大きさおよび形状に対して適用性が乏しい。
【０００６】
またプレイヤが取得できる景品は、１回のプレイで１個と決まっており、複数の景品を一度に取得できたり、その中に思いがけない景品が混じっていたりといった意外性があって興味をそそるようなゲームではなかった。
【０００７】
さらに各景品をボールチェーンに連結しチップ等の係止部材に係止して棚に一々吊るさなければならず、チップや吊設具等の付帯物を必要として面倒な取付作業をしなければならない。
【０００８】
本発明は、斯かる点に鑑みなされたもので、その目的とする処は、景品の大きさや形状および取得景品数に対して適用性がありプレイヤの興味をそそり、景品の陳列に付帯物を必要とせずに簡単な取付作業で済みコストの低減を図ることができる景品取得ゲーム装置および景品払出装置を供する点にある。
【０００９】
【課題を解決するための手段及び作用効果】
上記目的を達成するために、本請求項１記載の発明は、プレイヤの操作に応じて筐体内に陳列された景品を取得するために所望の位置へ移動させた景品取得手段により景品取得作業が行われる景品取得ゲーム装置において、傾斜した載置部と、前記載置部に載置された景品が滑落するのを阻止する滑落阻止部材と、前記滑落阻止部材を作動して滑落阻止を解除する滑落阻止解除手段と、プレイヤの操作に応じて移動した前記景品取得手段が前記滑落阻止解除手段に作用して同滑落阻止解除手段により景品の滑落を許す位置に前記滑落阻止部材を移動させて景品を払出す景品取得ゲーム装置とした。
【００１０】
滑落阻止部材により滑落を阻止された載置部に景品を載置し、滑落阻止解除手段が働くと、滑落阻止部材が景品の滑落を許す位置に移動して景品を払出すことができるので、載置部に載置する景品の大きさや形状および数に制限されることなく適用性がある。
【００１１】
特に多数の景品を載置部に載置すれば、１回のプレイで複数の景品を払出して取得でき、その中に思いがけない景品が混じっていたりといった意外性があってプレイヤの興味をそそるものがある。
【００１２】
景品は載置部に載せるだけでよく、付帯物を必要とせず、面倒な取付作業をする必要がなく、コストの低減を図ることができる。
【００１３】
請求項２記載の発明は、プレイヤの操作に応じて筐体内に陳列された景品を取得するために所望の位置へ移動させた景品取得手段により景品取得作業が行われる景品取得ゲーム装置において、傾斜した載置部と、前記載置部に載置された景品が滑落するのを阻止する滑落阻止部材と、景品が滑落するのを阻止する位置に前記滑落阻止部材を維持する係止部材と、前記係止部材に作用して係止を解除する係止解除部材とを備え、プレイヤの操作に応じて移動した前記景品取得手段が前記係止解除部材を作動させて前記係止部材の係止を解除し景品の滑落を許す位置に前記滑落阻止部材を移動させて景品を払出す景品取得ゲーム装置である。
【００１４】
滑落阻止部材により滑落を阻止された載置部に景品を載置し、係止部材の係止が解除されれば、滑落阻止部材が景品の滑落を許す位置に移動して景品を払出すことができるので、載置部に載置する景品の大きさや形状および数に制限されることなく適用性がある。
【００１５】
特に多数の景品を載置部に載置すれば、１回のプレイで複数の景品を払出して取得でき、その中に思いがけない景品が混じっていたりといった意外性があってプレイヤの興味をそそるものがある。
【００１６】
景品は載置部に載せるだけでよく、付帯物を必要とせず、面倒な取付作業をする必要がなく、コストの低減を図ることができる。
【００１７】
請求項３記載の発明は、筐体内に景品を陳列するために配列されプレイヤの操作に応じて移動される景品取得手段の景品取得作業により景品を払出す景品払出装置であって、傾斜した共通の載置部と、前記載置部に配列され載置された景品が滑落するのを阻止する複数の滑落阻止部材と、景品の滑落を阻止する位置に前記複数の滑落阻止手段をそれぞれ維持する複数の係止部材と前記係止部材に作用して係止を解除する係止解除部材とを備えた景品払出装置である。
【００１８】
共通の載置部に複数の各滑落阻止部材、係止部材および係止解除部材を配列してユニット化しているので、該ユニットを筐体内に上下に配設し載置部に景品を載せることで、景品取得ゲームにおける景品の陳列を容易に行うことができる。
【００１９】
種類の異なるユニットに交換することで異なる景品払出装置に簡単に変更することができる。
一部のユニットが故障したり破損したりしても、当該ユニットだけを交換すればよく簡単に対処できる。
【００２０】
請求項４記載の発明は、筐体内に景品を陳列するために配列されプレイヤの操作に応じて移動される景品取得手段の景品取得作業により景品を払出す景品払出装置であって、傾斜した載置部と、前記載置部に載置された景品が滑落するのを阻止する滑落阻止部材と、景品が滑落するのを阻止する位置に前記滑落阻止部材を維持する係止部材と、前記係止部材に作用して係止を解除する係止解除部材とを備えた景品払出装置である。
【００２１】
載置部，滑落阻止部材、係止部材および係止解除部材を一体に備えてユニット化することができ、該ユニットを筐体内の梁等に配列し載置部に景品を載せることで、景品取得ゲームにおける景品の陳列を容易に行うことができる。
【００２２】
種類の異なるユニットに交換することで異なる景品払出装置に簡単に変更することができる。
一部のユニットが故障したり破損したりしても、当該ユニットだけを交換すればよく簡単に対処できる。
【００２３】
【発明の実施の形態】
以下本発明に係る一実施の形態について図１ないし図７に基づき説明する。
図１は本実施の形態に係る景品取得ゲーム装置１の全体外観図である。
【００２４】
縦長の筐体２の正面に、大きな開口を有し、透明板３がそれぞれ張設されており、その内部に手前に下がるように傾斜した左右方向に長尺の棚板１１が上下３段に亘って架設され、同棚板１１に多数の景品ｇが滑落滑落阻止プレート１２に滑落を阻止されて山積みされた状態で陳列されている。
棚板１１と透明板３との間の空間には、景品取得装置９が上下左右に移動自在に設けられている。
【００２５】
筐体２の正面で透明板３の下方位置に操作盤４が突設されており、操作盤４に押しボタンが２個配設されており、左側に上昇ボタン５，右側に右走行ボタン６が左右に配設されている。
操作盤４の左寄りにはコイン投入口７が設けられ、操作盤４の下方には景品払出し口８が開口している。
【００２６】
プレイヤは、コインをコイン投入口７に投入し、上昇ボタン５と右走行ボタン６を操作して景品取得装置９を所望位置まで移動させる。
景品取得装置９の移動位置が適切であると景品取得装置９が滑落阻止プレート１２の係止を解除して滑落阻止プレート１２を倒し景品ｇを滑り落し、プレイヤは景品払出し口８から落下した景品ｇを取り出すことができる。
【００２７】
図２ないし図５を参照して各棚板１１における景品払出装置１０について説明する。
棚板１１は左右に長尺の長方形状の傾斜板部１１ａを有し、左右両端縁が下方へ折曲して側板部１１ｂ，１１ｂを形成するとともに後端縁が下方へ折曲して後板部１１ｃを形成している。
【００２８】
棚板１１は、傾斜板部１１ａが手前方向に下がるように傾斜した姿勢で支持され、側板部１１ｂ，１１ｂは後半部が切欠かれ、前半部は上辺が景品載置面１１ａとともに傾斜し下辺が水平である三角形状をなす。
【００２９】
傾斜板部１１ａの前端縁に４つの滑落阻止プレート１２が起伏自在に支持される。滑落阻止プレート１２は、左右長尺の長方板部１２ａの両端が屈曲して側板部１２ｂ，１２ｂをなしており、同側板部１２ｂ，１２ｂの後方への延出部が棚板１１の前端縁に等間隔に設けられた切欠き１１ｄに挿入されて切欠き１１ｄを形成する折曲片１１ｅに左右水平の枢軸１３により枢支され、揺動自在に取付けられている。
【００３０】
滑落阻止プレート１２の長方板部１２ａの裏面には、一対のアーム１４，１４が突設され、両アーム１４，１４に直方体状の係止部材１５がその上端部を挟まれて左右水平方向に指向したピン１６により枢支されている。
【００３１】
係止部材１５の下端部には左右水平方向に貫通した円孔１５ａが形成されており、同円孔１５ａに紐２０が通されていて、同紐２０の両端には偏平円柱状のターゲット２１，２１が取付けられている。
【００３２】
棚板１１の側板部１１ｂ，１１ｂの下辺に基端部を固着された左右方向に長尺の支持プレート１７が前方へ突出して設けられており、同支持プレート１７からさらに前方に各滑落阻止プレート１２に対応してそれぞれ一対の案内片１８，１８が突設されている。
支持プレート１７も棚板１１の傾斜板部１１ａと平行に傾斜している。
【００３３】
揺動自在の滑落阻止プレート１２を上方に揺動し、係止部材１５の下端を傾斜した支持プレート１７の上に載せると、図４に示すように係止部材１５が斜めに立って滑落阻止プレート１２を棚板１１の傾斜板部１１ａに対して略直角に起立した状態に維持することができる。
【００３４】
係止部材１５の下端に外力が加わり前方に摺動すると、支持プレート１７から外れ、滑落阻止プレート１２は支持を失って下方に揺動して支持プレート１７に当接して図５に示すように支持プレート１７に支持されて滑落阻止プレート１２の長方板部１２ａが棚板１１の傾斜板部１１ａと同一の傾斜面をなす倒伏状態となる。
【００３５】
滑落阻止プレート１２の起立状態において斜めに立った係止部材１５の下端の円孔１５ａに通された係止解除部材である紐（ボールチェーンなどでもよい）２０は、円孔１５ａの両側の左右部分が両端に同じ重量のターゲット２１が取付けられて両側が平衡に吊り下げられたり、両側の紐２０，２０を左右に突設された案内片１８，１８に掛けて左右に広げるように案内して吊り下げてもよい。
【００３６】
この両側に吊り下げられた紐２０，２０の一方のターゲット２１を下方へ引っ張ると、係止部材１５の下端は支持プレート１７との摩擦力により維持され紐２０が摺動して他方のターゲット２１を上昇させ、ある時点で上昇したターゲット２１は、支持プレート１７または案内片１８に当接して停止し紐２０の一端を停止する。
【００３７】
さらに一方のターゲット２１が引っ張られると、一端を停止された紐２０の張力により斜めに立っていた係止部材１５の下端を下方かつ前方へ摺動させて支持プレート１７から外され滑落阻止プレート１２は倒伏する。
【００３８】
図２に示すように滑落阻止プレート１２が起立状態にあると、棚板１１の傾斜板部１１ａに山積みにされて載せられた景品ｇは、起立した滑落阻止プレート１２により滑落が阻止されて棚板１１に載置状態で陳列されるが、図３に示すように１滑落阻止プレート１２が倒伏すると、同滑落阻止プレート１２によって滑落を阻止されていた一部の景品ｇが滑落する。
【００３９】
以上のように共通の棚板１１に４つずつ滑落阻止プレート１２、係止部材１５、紐２０等が一体にユニット化されて景品払出装置１０が構成されている。
なお滑落阻止プレート１２等は４つずつに限定されるものではない。
【００４０】
筐体２内の左右両側に対向して対をなす前後２対の支柱２５，２５、２６，２６が設けられており（図２，３では一方の支柱省略）、前側の左右一対の支柱２５，２５には互いに対向する矩形の支持孔２５ａ，２５ａが上下に等間隔に穿設され、同様に後側の左右一対の支柱２６，２６には互いに対向する矩形の支持孔２６ａ，２６ａが上下に等間隔に穿設されている。
【００４１】
前側支柱２５，２５の適当に選んだ対向する支持孔２５ａ，２５ａに両端を嵌入して梁板２７を架設し、後側支柱２６，２６の適当に選んだ対向する支持孔２６ａ，２６ａに両端を嵌入して梁板２８を架設し、前後の梁板２７，２８の上にユニット化された景品払出装置１０が設置される。
【００４２】
このようにして棚板１１にユニット化された景品払出装置１０を上下に複数段設置する。
景品払出装置１０の設置高さは自由に変更でき、景品払出装置１０の設置数も自由に設定でき、景品ｇの種類特に大きさによって上下の棚板１１間を適切に設定することで、自ずと景品払出装置１０の設置数も決まる。
【００４３】
次に係止解除部材である紐２０を引っ張り係止部材１５による滑落阻止プレート１２の係止を解除する景品取得装置９およびその駆動機構を図６および図７に図示し説明する。
【００４４】
景品取得装置９のケース３０からは、景品ｇの配列された奥側に伸縮自在にフォーク３１を突出させており、フォーク３１の先端は楔状に切り込み３１ａが形成されている。
【００４５】
かかるケース３０を角筒状のガイドポール３２が上下に貫いており、同ガイドポール３２は、上下にスライダー３３，３３を有し、同スライダー３３，３３は左右方向に指向して敷設されたガイドレール３４，３４に摺動自在に嵌合されている。
【００４６】
ガイドレール３２，３２内に架設されたネジ棒３５，３５がスライダー３３，３３に貫通螺合しており、図示されないモータによりネジ棒３５，３５が回動すると、スライダー３２，３２はガイドレール３４，３４に案内されて等速で同一方向摺動するので、ガイドポール３２は係止解除部材５とともに左右に移動する。
【００４７】
角筒状のガイドポール３２は、フォーク３１側の辺に縦に長尺に開口を有し、ガイドポール３２内にローラ３７を介してスライダー３６が昇降自在に介装されており、同スライダー３６から突出したブラケット３８がガイドポール３２の開口から突出してケース３０を支持している。
【００４８】
ガイドポール３２内に上下を回動自在に支持されてネジ棒３９が架設されており、同ネジ棒３９はスライダー３６を貫通螺合しており、同ネジ棒３９をモータ４０が回動するようになっている。
したがって同モータ４０の駆動でネジ棒３９が回動されると、スライダー３６がガイドポール３２に案内されて上下に摺動し、ともにケース３０も昇降する。
【００４９】
ブラケット３８の上下にはプーリ４１，４２が軸支され、ブラケット３８の一部が突出した部分には揺動バー４３が枢支され、揺動バー４３の上端にはプーリ４４が軸支され、下端には前後に伸縮自在に支持されたフォーク３１の基端部が枢支されている。揺動バー４３の上端はスプリング４５により筐体２の奥側に付勢されていて、通常図６に実線で示すように揺動バー４３の下端に枢支されたフォーク３１は引っ込んだ状態にある。
【００５０】
そしてガイドポール３２の上端の上側スライダー３３に一端を固着されたワイヤー４６がガイドポール３２に沿って下方に延び、前記プーリ４１に巻き掛けられて水平に方向を変え、次いで揺動バー４３の上端のプーリ４４に巻き掛けられて方向を逆に変えプーリ４２に巻き掛けられて下方にガイドポール３２に沿って延び、下端は下側スライダー３３に載るソレノイド４７のロッド４７ａに固着されている。
【００５１】
したがってモータ４０の駆動でケース３０が昇降して、一体にフォーク駆動機構が昇降しても揺動バー４３はスプリング４５に付勢されて図６に実線で示す状態を維持し、フォーク３１は引っ込んだ状態にある。
【００５２】
そしてフォーク駆動機構が上下どの高さにあっても、ソレノイド４７が駆動してワイヤー４６を下方に引っ張ると前方に突出したプーリ４４をスプリング４５に抗して後方に移動させ、したがって図６に２点鎖線で示すように揺動バー４３を揺動してフォーク３１を前方に伸長させることができ，フォーク３１の先端部は前記係止部材１５に吊設された紐２０に届く。
以上のように景品取得装置９は、モータ４０の駆動で昇降し、ソレノイド４７の駆動でフォーク３１を伸長させる。
【００５３】
景品取得装置９はホームポジションを有し、ゲーム開始前は左側係止解除部材５は左下方の隅のホームポジションに位置し、右側係止解除部材５は右下方の隅のホームポジションに位置する。
操作盤４において遊戯者が上昇ボタン５を押すと、押している間景品取得装置９は上昇し、右走行ボタン６を押すと、押している間景品取得装置９は右方向に移動する。
【００５４】
したがって遊戯者は、上昇ボタン５と右走行ボタン６とを順に操作して狙ったターゲット２１に対応する位置まで景品取得装置９を移動させることになる。
右走行ボタン６を押すのを終え、離したところで景品取得装置９は停止し、自動的にソレノイド４７の駆動でフォーク３１が伸長する。
【００５５】
その後モータ４０の駆動で景品取得装置９は所定距離下降する。
すなわちフォーク３１が伸長した状態で一定ストローク下降し、その後フォーク３１は引っ込む。
【００５６】
上昇ボタン５と右走行ボタン６との操作で、狙ったターゲット２１に対応した適切な位置（特に紐２０のターゲット２１との付け根部分にフォーク３１が対向する位置）に停止したときは、フォーク３１が伸長し紐２０を楔状の切り込み３１ａに挟み、その直下にターゲット２１が位置することになり、よってフォーク３１が一定ストローク下降することで、ターゲット２１がフォーク３１により押し下げられ、紐２０を一定距離下方に引っ張る。
【００５７】
一回のプレイで紐２０を引っ張ることができる最大量は決まっているので、係止部材１５の下端の円孔１５ａを通して両側に吊り下げられた紐２０の一端のターゲット２１が支持プレート１７または案内片１８に接近した紐２０の他端のターゲット２１を狙うと、前記したように一定距離紐２０を引っ張る間に係止部材１５が滑落阻止プレート１２の係止を解除する可能性が高く取り出し易い。
【００５８】
そこでプレイヤはターゲット２１の位置から難易度を判断して自ら狙うターゲット２１を決め、有利にゲームを進めることができる。
【００５９】
ターゲット２１の位置はプレイヤが目視することができ、特にターゲット２１が支持プレート１７または案内片１８に接近したものは簡単に取り出せそうな感じを受けるため、景品ｇの取り出しの難易度を実感を持って知ることができ、ゲームに参加する意欲を増大させることができる。
【００６０】
また本景品払出装置１０は、多数の景品ｇを棚板１１上に山積みすることができるので、上記のように判別して多少難易度が高くても特に多くの景品ｇが山積みされた場所を狙うことも考えられ、プレイヤが狙うターゲット２１の選択も一様でなく各プレイヤによって異なり多様性がある。
【００６１】
棚板１１には小さな景品ｇを山積みすることもできれば、大きな景品ｇを重ねることなく載置することもでき、景品ｇの大きさや形状および数に制限されることなく適用性がある。
【００６２】
特に多数の景品ｇを棚板１１に載置すれば、１回のプレイで複数の景品ｇを取得でき、その中に思いがけない景品ｇが混じっていたりといった意外性があってプレイヤの興味をそそるものがある。
【００６３】
倒伏した滑落阻止プレート１２は、上方に揺動して係止部材１５を支持プレート１７に係止させれば簡単に起立させることができ、景品ｇは棚板１１に載せるだけでよいので、付帯物を必要とせず、面倒な取付作業をする必要がなく、景品ｇを容易に陳列することができ、コストの低減を図ることができる。
【００６４】
滑落阻止プレート１２は、景品ｇの滑落を阻止するので、景品ｇが大きく重量物であっても滑落阻止プレート１２の起立を維持する係止部材１５に掛かる力は小さくてすみ、したがって係止を解除する力も小さくよい。
【００６５】
係止部材１５は滑落阻止プレート１２に固着されたアーム１４にピン１６を介して単に枢支されているが、滑落阻止プレート１２と係止部材１５との間に互いに接近する方向に付勢するスプリングを介在させてもよい。
【００６６】
このスプリングを介在させることで、係止部材１５が中途半端に滑落阻止プレート１２を起立させてプレイしないのに倒伏したりすることを防止することができるとともに、倒伏した滑落阻止プレート１２を上方に揺動するだけで、スプリングが係止部材１５を係止位置に揺動させて滑落阻止プレート１２を起立状態とする等作業を簡略化することができる。
【００６７】
また係止部材１５の下端と支持プレート１７との摩擦力を増すために、接触する両者の少なくとも一方にゴム材を張り付けるようにしたり、あるいは滑落阻止プレート１２を起立状態に支持した係止部材１５の係止力を増すために、支持プレート１７の係止部材１５の下端が接する一部に上方に若干膨出したばね板部材を取付け、係止部材１５が揺動しばね板部材を弾性変形させて乗り越え係止したり係止解除したりするようにしてもよい。
【００６８】
景品払出装置１０がユニット化されているので、ユニット化された種類の異なる景品払出装置１０に交換することで異なる景品払出装置に簡単に変更することができる。
【００６９】
以上の実施の形態の景品取得ゲーム装置１は、プレイヤが１人プレイできるものであったが、操作部や景品取得手段を２セット左右に併設した１台のゲーム装置とし、２人のプレイヤが並んで同時にプレイできるようにしてもよく、その場合に一方を本景品払出装置とし他方を従来の景品をボールチェーンで吊り下げる景品払出装置にするなど、プレイにバリエーションを持たせることができる。
【００７０】
次に別の実施の形態に係る景品払出装置５０について図８ないし図１０に基づき説明する。
筐体内の左右の支柱に架設される左右に長尺の棚板６０は、前側が下方に向いて傾斜して架設され、その前端縁には複数の円孔６０ａが列設されている。
【００７１】
この棚板６０にユニット化された景品払出装置５０が複数並設される。
景品払出装置５０は、景品載置部材５１が長方形状の傾斜板部５１ａとその左右両端が下方に屈曲して形成された側板部５１ｂ，５１ｂとからなる。
【００７２】
側板部５１ｂ，５１ｂは左右対称に形成されていて、中間部辺りから下方へさらに突出した係止突起５１ｃ，５１ｃと傾斜板部５１ａより前方へ突出した軸受部５１ｄ，５１ｄとを備えている。
【００７３】
景品載置部材５１の傾斜板部５１ａの前に左右の軸受部５１ｄ，５１ｄに挟まれて前側係止具５２が一体に連結されている。
【００７４】
前側係止具５２は、平板をクランク状に屈曲したもので、上段部５２ａと下段部５２ｃが連結部５２ｂで連結された階段状をなし、上段部５２ａが傾斜板部５１ａに同一面をなして固着され、軸受部５１ｄ，５１ｄの輪郭に沿うように屈曲して連結部５２ｂが形成され、軸受部５１ｄ，５１ｄの下端面と同一面をなすように屈曲して下段部５２ｃが形成されている。
【００７５】
下段部５２ｃは、両端がさらに前方へ延出して係止アーム５２ｄ，５２ｄを形成し、同係止アーム５２ｄ，５２ｄは途中が下方へ屈曲している。
この下段部５２ｃには左右に一対の円筒部材５３，５３が立設されており、円筒部材５３，５３の上半部が拡径して連結部５２ｂに近接し、その上端面は上段部５２ａと同一平面をなす。
【００７６】
この前側係止具５２の上に被さるように滑落阻止プレート５４が揺動自在に枢支される。
【００７７】
滑落阻止プレート５４の左右長尺の長方板部５４ａの両端が屈曲して側板部５４ｂ，５４ｂをなしており、同側板部５４ｂ，５４ｂの後方への延出部が景品載置部材５１の軸受部５１ｄ，５１ｄと前側係止具５２との間の間隙に挿入され、上段部５２ａと連結部５２ｂの内側を左右に貫通するように左右の軸受部５１ｄ，５１ｄに架設される支軸５５により軸支される。
【００７８】
滑落阻止プレート５４の長方板部５４ａの裏面には、中央奥側（揺動中心側）に円弧状に湾曲した係止片５６が左右水平方向を中心軸にした姿勢で固着されている。この係止片５６と前側係止具５２の上段部５２ａとの間にパイプ状の係止部材５７が挟まれて係止されると、図８に示すように滑落阻止プレート５４は起立状態を維持することができる。
【００７９】
係止部材５７が係止片５６から外されると、滑落阻止プレート５４は支えを失って自重により下方へ揺動し、一対の円筒部材５３，５３に当接して支持され、図１０に示すように景品載置部材５１の傾斜板部５１ａと同一の傾斜面をなして倒伏状態となる。
【００８０】
以上の景品払出装置５０は、ユニット化されていて、棚板６０に景品載置部材５１の傾斜板部５１ａを載せて棚板６０の後端縁に側板部５１ｂ，５１ｂの係止突起５１ｃ，５１ｃを係止させ、棚板６０の前端縁の２つの円孔６０ａ，６０ａに前側係止具５２の前方へ延出した係止アーム５２ｄ，５２ｄを挿入し係止して設置される。
【００８１】
このようにして複数の景品払出装置５０が、棚板６０に順次並べて設置されて１棚段が構成される。
筐体内にこのような棚段を上下に適当な段数設ける。
なお棚段は１段とする場合もある。
【００８２】
各景品払出装置５０の滑落阻止プレート５４を起立状態に維持するパイプ状の係止部材５７は、内部に係止解除部材である紐５８が通され、紐５８の両端にターゲット５９，５９が結着されている。
【００８３】
図８に示す滑落阻止プレート５４の起立状態で、係止片５６に係止された係止部材５７の両側から延出した紐５８は、略左右対称に円筒部材５３の大径の上半部の下方で前側係止具５２の連結部５２ｂとの間の間隙を内側から外側に通って棚板６０の前端縁の各１つの円孔６０ａを貫通して下方へ垂下してターゲット５９に至るようセットされる。
【００８４】
左右に垂下した紐５８の一方が係止解除部材によりターゲート５９とともに下方へ引っ張られると、他方のターゲット５９が上昇し、棚板６０の前端縁の円孔６０ａの開口下端面に当接して停止する。
【００８５】
紐５８の一端がターゲット５９の停止で固定された状態で、さらに一方の紐５８が下方へ引っ張られると、紐５８の張力により係止片５６に係止された係止部材５７を手前に引き寄せようとするので、図９に示すように係止部材５７を係止片５６から外すように働き、完全に外れると図１０に示すように滑落阻止プレート５４は倒伏する。
【００８６】
滑落阻止プレート５４の倒伏時には、係止部材５７および係止片５６は上方を滑落阻止プレート５４に覆われて左右の円筒部材５３，５３の間で前側係止具５２の下段部５２ｃ上に位置する。
【００８７】
滑落阻止プレート５４は、図１０に示すように景品載置部材５１の傾斜板部５１ａと同一の傾斜面をなして倒伏状態となるので、景品載置部材５１の傾斜板部５１ａに載置されていた景品ｇは滑落阻止プレート５４による滑落阻止が解除されて滑落阻止プレート５４の上面の傾斜面を滑り落ちる。
【００８８】
倒伏した滑落阻止プレート５４は、上方に揺動して係止部材５７を係止片５６に係止させれば簡単に起立させることができ、景品ｇは景品載置部材５１の傾斜板部５１ａに載せるだけでよいので、付帯物を必要とせず、面倒な取付作業をする必要がなく、景品ｇを容易に陳列することができ、コストの低減を図ることができる。
【００８９】
本景品払出装置５０は、景品載置部材５１，滑落阻止プレート５４，係止部材５７、紐５８などをユニットして備えているので、該ユニットを筐体内の棚板６０等に配列し載置部に景品を載せることで、景品取得ゲームにおける景品の陳列を容易に行うことができる。
【００９０】
種類の異なるユニットに交換することで異なる景品払出装置に簡単に変更することができる。
一部のユニットが故障したり破損したりしても、当該ユニットだけを交換すればよく簡単に対処できる。
【００９１】
次に別の景品払出装置７０について図１１ないし図１３に基づいて簡単に説明する。
景品載置部材７１は、上面が景品が載置される傾斜面部７１ａとその前側に鉛直面部７１ｂを介して前方へ幾らか突出した幅狭の前端傾斜面部７１ｃが形成されている。
【００９２】
傾斜面部７１ａの前端に滑落阻止プレート７２が揺動自在に枢着され、鉛直面部７１ｂの中央に突設されたピン７３に基端部を枢支されて係止部材７４が回動自在に設けられ、同係止部材７４が先端部を上方に回動して縦向きにすると、図１１に示すように滑落阻止プレート７２を起立状態に維持することができる。
【００９３】
係止部材７４の先端部には紐７６の一端が結着され、同紐７６はその結着端部から鉛直面部７１ｂの左側に固着されたフック７５に延びて引っ掛けられ、前方に向きを変えて前端傾斜面部７１ｃを回り込むようにして下方へ垂下され、その端部にはターゲット７７が結着されている。
【００９４】
したがって景品取得装置がターゲット７７にフォークを引っ掛け垂下された紐７６を下方に引っ張ると、図１２に示すように係止部材７４が横向きになるように回動し、完全に横向きになると、滑落阻止プレート７２は係止部材７４の係止が解除されて図１３に示すように倒伏する。
【００９５】
したがって鉛直面部７１ｂ載置されていた景品ｇは、滑落阻止プレート７２による滑落阻止が解除されて滑落阻止プレート７２の上面の傾斜面を滑り落ちる。
【００９６】
倒伏した滑落阻止プレート７２は、係止部材７４を縦向きに回動すれば簡単に起立させることができ、景品ｇは景品載置部材７１の傾斜面部７１ａに載せるだけでよいので、付帯物を必要とせず、面倒な取付作業をする必要がなく、景品ｇを容易に陳列することができ、コストの低減を図ることができる。
【００９７】
本景品払出装置７０も、景品載置部材７１，滑落阻止プレート７２，係止部材７４、紐７６などをユニットとして備えているので、該ユニットを筐体内の棚板等に配列し載置部に景品を載せることで、景品取得ゲームにおける景品の陳列を容易に行うことができる。
【００９８】
次にまた別の景品払出装置８０について図１４ないし図１７に基づいて簡単に説明する。
本景品払出装置８０の景品載置部材８１も、上面が景品が載置される傾斜面部８１ａとその前側に鉛直面部８１ｂを介して前方へ幾らか突出した幅狭の前端傾斜面部８１ｃが形成されている。
【００９９】
鉛直面部８１ｂの中央に矩形の開口８１ｄが形成されている。
傾斜面部８１ａの前端には滑落阻止プレート８２が揺動自在に枢着されいる。
滑落阻止プレート８２の裏面中央の先端寄りに突設された一対の軸受８３，８３に架設された支軸８４に直方体状の係止部材８５が基端部を枢支されて揺動自在に設けられている。
【０１００】
この係止部材８５の自由端部に円孔８５ａが前後方向に穿設されており、同円孔８５ａに紐８６が貫通し、円孔８５より前方に延びた紐８６の端部にターゲット８７が結着され、円孔８５より後方に延びた紐８６の端部に小球８８が結着されている。
ターゲット８７と小球８８は形状が異なるが、重さは略等しく両者がバランスをとっている。
【０１０１】
滑落阻止プレート８２を起立させる際は、図１４を参照して滑落阻止プレート８２を上方に揺動し、係止部材８５を前端傾斜面部８１ｃ上に立て掛けることで、滑落阻止プレート８２を起立させることができるが、その際に係止部材８５の下端の円孔８５ａを貫通した紐８６の後方に延びた部分とその端部の小球８８を鉛直面部８１ｂの開口８１ｄに通して後側に垂下させ、円孔８５より前方に延びた紐８６を前端傾斜面部８１ｃを回り込むようにして前側に垂下させる。
【０１０２】
景品取得装置が前側に垂下した紐８６のターゲット８７にフォークを引っ掛け下方に紐８６を引っ張ると、図１５に示すように後側に垂下した紐８６およびその端部の小球８８が上昇する。
【０１０３】
そして上昇した小球８８が開口８１ｄを通って係止部材８５の下端の円孔８５ａの開口端に当接すると、図１６に示すように係止部材８５の下端を前端傾斜面部８１ｃ上を滑るようにして前方に揺動させる。
【０１０４】
そのままさらにターゲット８７が下方に紐８６を引っ張られると、係止部材８５の下端が前端傾斜面部８１ｃを外れ、滑落阻止プレート８２は係止部材８５とともに下方に揺動して図１７に示すように倒伏する。
【０１０５】
したがって鉛直面部８１ｂ載置されていた景品ｇは、滑落阻止プレート８２による滑落阻止が解除されて滑落阻止プレート８２の上面の傾斜面を滑り落ちる。
【０１０６】
本景品払出装置８０も、景品載置部材８１，滑落阻止プレート８２，係止部材８５、紐８６などをユニットとして備えているので、該ユニットを筐体内の棚板等に配列し載置部に景品を載せることで、景品取得ゲームにおける景品の陳列を容易に行うことができる。
【０１０７】
本景品払出装置８０における係止部材８５を支持する前端傾斜面部８１ｃを傾斜面部８１ａと略平行の傾斜面として摩擦力だけで係止部材８５を支持してたが、前端傾斜面部８１ｃを傾斜面部８１ａと角度を持つ逆傾斜面としたり前端傾斜面部８１ｃの所要部分に突条を設けたりして構造的に係止部材８５を支持するようにしてもよく、こうすることで係止部材８５の係止解除が難しくして景品取得の難易度を上げることが容易にできる。
【０１０８】
以上の景品取得装置１０，５０，８０は、いずれもユニット化されているので、同一の筐体内にこれら種類の異なる景品取得装置を組合せて配設してプレイヤに興味を持たせるようにしてもよく、景品に応じて景品取得装置を変えることで景品取得の難易度を変えることもでき、プレイヤが景品を選択するときの一つの目安となる。
【０１０９】
以上の実施の形態において、紐の長さを変えたり、係止部材の係止力をゴム部材やばね部材を使って変えたりすることで、景品の取り易さの調整をすることが容易にできる。
【０１１０】
景品載置手段は、以上のような実施の形態のものに限らず、種々のユニット化された構造のものが考えられる。
【図面の簡単な説明】
【図１】本発明の一実施の形態に係る景品取得ゲーム装置の全体外観図である。
【図２】滑落阻止プレートが全て起立した状態の景品払出装置の斜視図である。
【図３】滑落阻止プレートの１つが倒伏し残りが起立した状態の景品払出装置の斜視図である。
【図４】滑落阻止プレートが起立した状態の景品払出装置の側面図である。
【図５】滑落阻止プレートが倒伏した状態の景品払出装置の側面図である。
【図６】景品取得装置の駆動機構を示す一部省略した斜視図である。
【図７】同駆動機構の一部省略した要部側面図である。
【図８】別の実施の形態に係る景品払出装置の滑落阻止プレートが起立した状態を示す斜視図である。
【図９】同景品払出装置の係止解除途中の状態を示す斜視図である。
【図１０】同景品払出装置の滑落阻止プレートが倒伏した状態を示す斜視図である。
【図１１】また別の実施の形態に景品払出装置の滑落阻止プレートが起立した状態を示す斜視図である。
【図１２】同景品払出装置の係止解除途中の状態を示す斜視図である。
【図１３】同景品払出装置の滑落阻止プレートが倒伏した状態を示す斜視図である。
【図１４】さらに別の実施の形態に景品払出装置の滑落阻止プレートが起立した状態を示す斜視図である。
【図１５】別の状態の同景品払出装置の滑落阻止プレートが起立した状態を示す斜視図である。
【図１６】同景品払出装置の係止解除途中の状態を示す斜視図である。
【図１７】同景品払出装置の滑落阻止プレートが倒伏した状態を示す斜視図である。
【符号の説明】
１…景品取得ゲーム装置、２…筐体、３…透明板、４…操作盤、５…上昇ボタン、６…右走行ボタン、７…コイン投入口、８…景品払出し口、９…景品取得装置、
１０…景品払出装置、１１…棚板、１２…滑落滑落阻止プレート、１３…枢軸、１４…アーム、１５…係止部材、１６…ピン、１７…支持プレート、１８…案内片、
２０…紐、２１…ターゲット、２５，２６…支柱、２７，２８…梁板、
３０…ケース、３１…フォーク、３２…ガイドポール、３３…スライダー、３４…ガイドレール、３５…ネジ棒、３６…スライダー、３７…ローラ、３８…ブラケット、３９…ネジ棒、４０…モータ、４１，４２…プーリ、４３…揺動バー、４４…プーリ、４５…スプリング、４６…ワイヤー、４７…ソレノイド、
５０…景品払出装置、５１…景品載置部材、５２…前側係止具、５３…円筒部材、５４…滑落阻止プレート、５５…支軸、５６…係止片、
５７…係止部材、５８…紐、５９…ターゲット、
６０…棚板、７０…景品払出装置、７２…滑落阻止プレート、７３…ピン、７４…係止部材、７５…フック、７６…紐、７７…ターゲット、
８０…景品払出装置、８１…景品載置部材、８２…滑落阻止プレート、８３…軸受、８４…支軸、８５…係止部材、８６…紐、８７…ターゲット、８８…小球。
【図１】
2004181150.tif 000003
【図２】
2004181150.tif 000004
【図３】
2004181150.tif 000005
【図４】
2004181150.tif 000006
【図５】
2004181150.tif 000007
【図６】
2004181150.tif 000008
【図７】
2004181150.tif 000009
【図８】
2004181150.tif 000010
【図９】
2004181150.tif 000011
【図１０】
2004181150.tif 000012
【図１１】
2004181150.tif 000013
【図１２】
2004181150.tif 000014
【図１３】
2004181150.tif 000015
【図１４】
2004181150.tif 000016
【図１５】
2004181150.tif 000017
【図１６】
2004181150.tif 000018
【図１７】
2004181150.tif 000019